(57)【要約】  歯科補綴物を固定する装置は、バー・パトリックス２０と連結部分１０とを備え、連結部分１０は、歯科補綴物に取り付け可能であり、バー・パトリックスが挿入可能であり天井要素１３によって連結された２つの側壁１１、１２によって囲まれた凹部を有する。歯科補綴物が、歯科補綴物に取り付けられた連結部分１０によってバー・パトリックス２０上に置かれたときに、第１の支持領域１１、第２の支持領域１２及び第３の支持領域１３ｃを介してバー・パトリックス上に位置するように、側壁１１、１２及び天井要素１３が形づくられ、それぞれの場合に、自由空間１４ａ、１４ｂが、第１の支持領域と第３の支持領域との間、及び第２の支持領域と第３の支持領域との間に存在する。
2012520693.tif 000002
【特許請求の範囲】
【請求項１】
バー・パトリックス（２０；２０’）と連結部分（１０；１０’；１０’’）とを備える、歯科補綴物（４０）を固定する装置であって、
前記連結部分（１０；１０’；１０’’）は、前記歯科補綴物に取り付け可能であるとともに、凹部（１５；１５’）を有し、
前記凹部（１５；１５’）には、前記バー・パトリックス（２０；２０’）が挿入可能であり、前記凹部（１５；１５’）は、天井要素（１３）によって連結された２つの側壁（１１、１２）によって囲まれている、前記装置において、
前記歯科補綴物（４０）が、前記歯科補綴物（４０）に取り付けられた前記連結部分（１０；１０’；１０’’）によって前記バー・パトリックス（２０；２０’）上に置かれたときに、第１の支持位置（１１；１１ｂ）、第２の支持位置（１２；１２ｂ）及び第３の支持位置（１３ｃ）を介して前記バー・パトリックス（２０；２０’）上に位置するように、前記側壁（１１、１２）及び前記天井要素（１３）が形づくられ、
自由空間（１４ａ、１４ｂ）が、前記第１の支持位置と第３の支持位置との間、及び前記第２の支持位置と第３の支持位置との間にそれぞれ存在することを特徴とする、歯科補綴物（４０）を固定する装置。
【請求項２】
前記天井要素（１３）が、前記自由空間（１４ａ、１４ｂ）を少なくとも部分的に形成するアンダーカット（１３ａ、１３ｂ）を有する、請求項１に記載された歯科補綴物（４０）を固定する装置。
【請求項３】
断面から見たときに、前記自由空間（１４ａ、１４ｂ）のそれぞれが、第１の長さ（Ｓ０〜Ｓ１、Ｓ０’〜Ｓ２）にわたって延在し、前記第３の支持位置（１３ｃ）が、前記第１の長さよりも短い第２の長さ（Ｓ１〜Ｓ２）にわたって延在する、請求項１又は請求項２に記載された歯科補綴物（４０）を固定する装置。
【請求項４】
断面から見たときに、前記自由空間（１４ａ、１４ｂ）のそれぞれが、前記凹部（１５；１５’）が始まる開始高さよりも前記凹部（１５；１５’）が達する終端高さの近くに配置される高さ（Ｓ０、Ｓ０’）よりも上方に延在する、請求項１から請求項３までのいずれか一項に記載された歯科補綴物（４０）を固定する装置。
【請求項５】
断面から見たときに、前記天井要素（１３）が、前記側壁（１１、１２）間の最小距離（Ａ）よりも大きい最大距離（Ｄ）を有する、請求項１から請求項４までのいずれか一項に記載された歯科補綴物（４０）を固定する装置。
【請求項６】
前記天井要素が、少なくとも１つの実質的に円形の弓形部分及び／又は少なくとも１つの実質的に直線の部分（１３ｃ）を有する断面を備えたアーチ（１３）を有する、請求項１から請求項５までのいずれか一項に記載された歯科補綴物（４０）を固定する装置。
【請求項７】
前記側壁（１１、１２）の高さ（ｈ）が、前記凹部（１５、１５’）の深さ（Ｈ）の半分よりも大きい、請求項１から請求項６までのいずれか一項に記載された歯科補綴物（４０）を固定する装置。
【請求項８】
断面から見たときに、前記バー・パトリックス（２０；２０’）が、高さ（２４、２４’）よりも上方に延在し、好ましくは円形の弓形である湾曲部（２３）を有し、前記自由空間（１４ａ、１４ｂ）のそれぞれが、前記バー・パトリックス（２０；２０’）の前記湾曲部（２３）に沿って延在し前記高さ（２４；２４’）の上方に達する、請求項１から請求項７までのいずれか一項に記載された歯科補綴物（４０）を固定する装置。
【請求項９】
前記連結部分（１０；１０’；１０’’）が、基端部に傾斜面（１１ａ、１２ａ）を有する、請求項１から請求項８までのいずれか一項に記載された歯科補綴物（４０）を固定する装置。
【請求項１０】
前記側壁（１１、１２）が、好ましくは実質的に平坦である表面をそれぞれ有し、２つの前記表面が、互いに実質的に平行に配置される、請求項１から請求項９までのいずれか一項に記載された歯科補綴物（４０）を固定する装置。
【請求項１１】
前記第３の支持位置（１３ｃ）が、前記バー・パトリックス（２０；２０’）の頂部に形成される、請求項１から請求項１０までのいずれか一項に記載された歯科補綴物（４０）を固定する装置。
【請求項１２】
前記バー・パトリックス（２０；２０’）が、凸形、好ましくはＵ型、卵形若しくは長方形である断面、及び／又は、好ましくは円形の断面とは異なる断面を有する、請求項１から請求項１１までのいずれか一項に記載された歯科補綴物（４０）を固定する装置。
【請求項１３】
前記自由空間（１４ａ、１４ｂ）が、
前記連結部分（１０；１０’）と前記バー・パトリックス（２０；２０’）との間に形成されるか、又は
前記連結部分と前記歯科補綴物（４０）との間に形成されるか、又は、
マトリックス筐体（１０ａ）と該マトリックス筐体（１０ａ）に挿入されるインサート（１０ｂ）との間に形成され、前記マトリックス筐体及び前記インサートが連結部分（１０’’）として働く、請求項１から請求項１２までのいずれか一項に記載された歯科補綴物（４０）を固定する装置。
【請求項１４】
前記連結部分（１０；１０’）が、１つの部分として作製されるか、又は取り外し可能なインサート（１０ｂ）を備えたマトリックス筐体（１０ａ）として形成される、請求項１から請求項１３までのいずれか一項に記載された歯科補綴物（４０）を固定する装置。
【請求項１５】
前記連結部分（１０；１０’’）が、前記連結部分を分割する位置を決めるマーキング（１７）を有する、請求項１から請求項１４までのいずれか一項に記載された歯科補綴物（４０）を固定する装置。
【発明の詳細な説明】
【技術分野】
【０００１】
本発明は、請求項１の前文に記載された歯科補綴物を固定する装置に係るものである。
【背景技術】
【０００２】
このような装置は、歯科補綴物を分離可能な態様で固定するためにバー・パトリックス(支柱雄部)に取り付けられ得る連結部分を有する。この目的のために、連結部分はバー・パトリックスが挿入され得る凹部を有する（例えば国際出願２００８／０３４２６７号を参照）。公知技術によれば、連結部分とバー・パトリックスとが嵌めあわされるように、凹部の形状はバー・マトリックス（支柱雌部）の断面に適合している。しかしながら、このような嵌めあいによって、連結部分の完全な一体化が困難になり、連結部分がバー・パトリックスに対して最適に据わることが起こらない危険性があることが分かった。これが、咀嚼の動きの際に、歯科補綴物が弾発的に前後に動く原因となり、いらだたしい感覚を生じることがある。
【先行技術文献】
【特許文献】
【０００３】
【特許文献１】国際出願２００８／０３４２６７号
【発明の概要】
【発明が解決しようとする課題】
【０００４】
本発明の目的は、バー・パトリックス上での歯科補綴物の保持が改善される、歯科補綴物を固定する装置を提供することである。
【課題を解決するための手段】
【０００５】
この目的を達成する装置は、請求項１に明示される。他の請求項は好ましい具体例を明示する。
【０００６】
以下に、本発明は例示的な実施例によって図を参照して示される。
【図面の簡単な説明】
【０００７】
【図１】本発明による装置の第１の例示的な実施例による連結部分として働くバー・マトリックスの正面図。
【図２】第１の例示的な実施例によるバー・パトリックスの正面図。
【図３】図１によるバー・マトリックス及び図２によるバー・パトリックスを連結された状態で示す図。
【図４】図３によるバー・マトリックス及びバー・パトリックスの斜視図。
【図５】本発明による装置の第２の例示的な実施例の斜視図。
【図６】図５によるバー・マトリックスの正面図。
【図７】図５によるバー・パトリックスの正面図。
【図８】図６によるバー・マトリックス及び図７によるバー・パトリックスを連結された状態で示す図。
【図９】本発明による装置の第３の例示的な実施例の部分的な断面の正面図。
【図１０】本発明による装置の第４の例示的な実施例の正面図。
【実施例】
【０００８】
第１の例示的な実施例
図１〜図４は、連結部分として働くバー・マトリックス１０およびバー・パトリックス２０を備えた装置の第１の例示的な実例を示す。バー・マトリックス１０及びバー・パトリックス２０は、分離可能な態様で互いに連結可能であり、簡略化のために、以下ではマトリックス及びパトリックスと称される。
【０００９】
マトリックス１０は、閉塞を生じるように互いに連結された側面部分（以下ではラメラとも称する）を有する細長いハウジングとして形成され、図１に示される断面形状を有する。このマトリックス１０は、凹部１５を有し、凹部１５にはパトリックス２０が挿入可能であり、凹部１５は、２つの側壁１１及び１２によって画定される。２つの側壁は、アーチ１３の形態の天井要素によって互いに連結される。
【００１０】
側壁１１、１２は、実質的に互いに平行に配置された実質的に平坦な面として形成されるが、その基端部に傾斜がつけられ、それによって面取り部１１ａ、１２ａが形成される。面取り部１１ａ、１２ａを設けることによって、マトリックス１０とパトリックス２０との一体化が容易になる。
【００１１】
それぞれの側壁１１、１２への移行部において、アーチ１３はそれぞれアンダーカット１３ａ及び１３ｂを有し、断面から見たときに、アンダーカット１３ａ、１３への移行部の領域において、側壁１１、１２の距離Ａよりも大きい最大距離Ｄを有する。したがって、それぞれの側壁１１、１２は、アンダーカット１３ａ、１３ｂに対して突出している。
【００１２】
本発明の例示的な実施例では、断面から見たときに、アーチ１３は、２つのアンダーカット１３ａ、１３ｂのそれぞれ一方を構成する２つの円形のアーチ形状部分から構成される。２つのアンダーカット１３ａ、１３ｂは実質的に直線の部分１３ｃによって互いに連結される。
【００１３】
それぞれの側壁１１、１２の高さｈは、凹部１５の深さＨの半分よりも大きくなるように選択される。すなわち、ｈ＞Ｈ／２となる。
【００１４】
本発明の例示的な実施例では、マトリックス１０は、歯科補綴物上でのマトリックスのしっかりとした保持を確保する横方向に突き出た保持要素１６を有する。たとえばマトリックス１０は重合体によって歯科補綴物に固定される。マトリックス１０の構成によっては、保持要素は、図１に示されるものとは異なる形状を有することができる。
【００１５】
図２に示すとおり、パトリックス２０は、断面から見たときに、実質的にＵ型のドルダー・バーである。したがって、パトリックス２０は、湾曲部２３によって連結された２つの側壁２１及び２２を有する。
【００１６】
図３は、パトリックス２０がマトリックス１０の凹部１５に挿入された状況を示す。マトリックス１０の第１の側壁１１が、パトリックス２０の第１の側壁２１に接触する第１の支持位置を形成する。マトリックス１０の第２の側壁１２が、パトリックス２０の第２の側壁２２に接触する第２の支持位置を形成する。さらに、アーチ１３の部分１３ｃが、本発明の例示的な実施例ではパトリックス２０の湾曲部２３の頂部に接触する第３の支持位置を形成する。
【００１７】
アーチ１３の選択された形状のために、それぞれの場合において、第１の支持位置１１と第３の支持位置１３ｃとの間、および第２の支持位置１２と第３の支持位置１３ｃとの間に、自由空間１４ａ、１４ｂが生じる。したがって、マトリックス１０とパトリックス２０との間に完全な嵌めあいはないが、アーチ１３は、湾曲部２３から一部間隔のあいた状態になるように大きく（オーバサイズに）なっている。３つの支持位置１１、１２及び１３ｃにより、パトリックス２０上におけるマトリックス１０の３つの位置での支持が形成される。
【００１８】
図３におけるＳ０及びＳ０’は、それよりも上方に自由空間１４ａ、１４ｂが延在する高さを示すが、Ｓ１とＳ２との間は第３の支持位置１３ｃの長さＬ２を規定する。こうして、自由空間１４ａはＳ０からＳ１までの長さＬ１にわたって延在し、自由空間１４ｂはＳ０’からＳ２までの長さＬ１’にわたって延在する。図示のように、Ｌ１及びＬ１’はそれぞれＬ２よりも大きい。
【００１９】
図３にさらに示されるとおり、Ｓ０及びＳ０’によって規定される高さは、凹部１５が始まる開始高さよりも凹部１５がそこまで延在する終端高さに、より近い。（図１を参照さすると、高さｈがＳ０及びＳ０’によって規定される高さに対応し、高さＨが凹部１５の終端高さと凹部１５の開始高さとの間の差を示す。）
【００２０】
図４は、パトリックス２０上に置かれたマトリックス１０の斜視図を示す。図示のとおり、本発明の例示的な実施例では、マトリックスは閉塞側にマーキング１７を有する。ここでは、このマーキングは切り込みの形態で形成され、規則的に距離をあけて配置され、マトリックス１０の長手方向に対して横方向に形成される。マーキングは、所望長さのいくつかの部分を得るためにマトリックス１０を切断することが可能な位置を規定する。
【００２１】
第１の例示的な実施例によるマトリックス１０及びパトリックス２０は、バー・アタッチメントを形成する。壁１１と壁２１、および壁１２と壁２２との間に生じ得る摩擦によって、マトリックス１０がパトリックス２０上に保持される保持力が決まる。保持力は、特に、選択された高さｈによって与えられ、端部に向かって円錐形にわずかに狭くするか又は広げるように適切な器具を用いて側壁１１及び１２の傾斜を変えること（それぞれ「作用強化」及び「作用弱化」）によって、ある限界の範囲内で調整が可能である。
【００２２】
自由空間１４ａ、１４ｂを備えた凹部１５の選択された形状のために、マトリックス１０は、３つの支持位置１１、１２、１３ｃにおいてパトリックス２０上に位置する。支持位置の場所は、正確に特定できる。本発明の実例では、パトリックス２０の湾曲部２３が終わる高さよりも下方に支持位置１１及び１２が位置するように、この場所は選択される。この高さは、図３に破線２４で示される。したがって、それぞれの自由空間１４ａ、１４ｂは、高さ２４よりも上方に達し、支持位置１１及び１２は、パトリックス２０の側壁２１及び２２上に位置する。
【００２３】
自由空間１４ａ、１４ｂの支持位置１１、１２への移行部は、側壁１１、１２に対するパトリックス２０の力の伝達が起こり得る場所を実質的に規定する。この場所は、たとえ異なる保持力が設定されてもほとんど移動せず、マトリックス１０の閉塞端部の近くに位置し、それによって、力の伝達のためのてこの腕が小さい状態に保たれ得る。
【００２４】
さらに、凹部１５の形状によって、マトリックス１０がパトリックス２０から持ち上がることを防ぐようにパトリックス２０が確実に受けられ得るようになる。したがって、負荷の下では、たとえ強い「作用強化」が選択されない場合でも、マトリックス１０とパトリックス２０との間の望まれない弾発適動きは発生しない。対照的に、マトリックスとパトリックスとの間に完全な嵌めあいをもたらす既知のバー・アタッチメントの場合には、歯科補綴物を一体化する際に、マトリックスがパトリックスに対してその端部位置に達せず、負荷をかけ外しする際にパトリックスに対して前後に動かされることがある。
【００２５】
第２の例示的な実施例
マトリックスとパトリックスとの間の堅固な連結を可能にする、第１の例示的な実施例によるバー・アタッチメントの代わりに、バー・マトリックス１０は、異なるタイプのバー・パトリックスにも使用可能である。図５〜図８は、ドルダーによるバー・ジョイントを形成するバー・マトリックス１０及びバー・パトリックス２０’を有する装置の第２の例示的な実施例を示す。
【００２６】
図６に再び示されるマトリックス１０は、第１の例示的な実施例によるマトリックスに相当する。
【００２７】
パトリックス２０’の断面は、図７に示すように卵形である。頂部のところに円形の湾曲部があり、この頂部の円形湾曲部は、２つの端部のそれぞれにおいてより大きい湾曲を有する湾曲部に移行する。頂部の円形湾曲部が終わる高さは、図８に破線２４’によって示される。
【００２８】
マトリックス１０がパトリックス２０’上に置かれると、図８に示されるように３つの支持位置１１ｂ、１２ｂ、１３ｃが得られる。第１の位置１１ｂ及び第２の支持位置１２ｂは、側壁１１、１２からアンダーカット１３ａ、１３ｂへの移行部において得られる。支持位置１１ｂ及び１２ｂは、高さ２４’の下方にある。アーチ１３の部分１３ｃは、パトリックス２０’の頂部に対して位置する第３の支持位置を形成する。支持位置１３ａと１３ｃとの間、および支持位置１３ｂと１３ｃとの間に、それぞれの場合において、第１の例示的な実施例の場合と同様に、自由空間１４ａ、１４ｂが形成される。しかしながら、対照的に、側壁１１、１２の全体がパトリックス２０’に対して接触するのではなく、そのわずかな部分のみが接触する。
【００２９】
マトリックス１０を一体化する際には、支持位置１３ａ及び１３ｂが、パトリックス２０’の最も広い位置を規定する高さ２４’にわたって動かされ、最終的に、結果としてマトリックス１０のラメラがパトリックス２０’上の適所に嵌る。摩擦に加えて、この嵌合によって、マトリックス１０がパトリックス２０’上に保持される保持力が決まる。
【００３０】
第１の例示的な実施例と同様に、３つの支持位置１１ｂ、１２ｂ及び１３ｃが３つの位置での支持をもたらす。この３つの位置での支持によって、一体化の間、マトリックス１０は確実に、その端部位置に達し、その位置から再び持ち上がらないようになる。それによって、負荷を受けたときに、マトリックス１０とパトリックス２０’との間の弾発的な相対的な動きが起こることが回避される。しかしながら、バー・ジョイントとして、マトリックス１０は、パトリックス２０’に対してマトリックス１０の長手方向軸線を中心に動かされ得る。この場合、支持位置１３ａ、１３ｂ、１３ｃは、パトリックス２０’に沿って対応して移動する。
【００３１】
第３の例示的な実施例
図９は、第１の例示的な実施例の変形例を示す。ここでは、マトリックスが歯科補綴物４０中に直接形成され、インサート１０’が歯科補綴物をバー・パトリックス２０に固定するように連結部分として働く。インサート１０’は、歯科補綴物４０に形成された切り抜き部４１に取り外し可能に挿入される。歯科補綴物４０は、切り抜き部４１が製造時に設けられる、たとえばプラスチック部分を有する補綴物として構成される。
【００３２】
インサート１０’は、バー・パトリックス２０に沿って延在する細長い連結部分として形成され、第１の例示的な実施例と同様に形づくられた凹部１５を備える。このようにして、バー・パトリックス２０とインサート１０’との間に、歯科補綴物４０がバー・パトリックス２０上に位置する支持位置１１、１２、１３ｃが形成される。支持位置１１と１３ｃの間、および支持位置１２と１３ｃの間に、自由空間１４ａ及び１４ｂが形成される。
【００３３】
第３の例示的な実施例に代わるものとして、インサート１０’の外側形状及び／又は歯科補綴物４０の切り抜き部４１が適切に形づくられることにより、歯科補綴物４０とインサート１０’との間に３つの支持位置１１、１２、１３ｃ及び自由空間１４ａ、１４ｂを設けることが考えられる。
【００３４】
第４の例示的な実施例
図１０は、バー・マトリックス１０’’が複数の部分の構成である、第１の例示的な実施例の他の変形例を示す。バー・マトリックス１０’’は、インサート１０ｂが取り外し可能に挿入されたマトリックス筐体１０ａを有する。
【００３５】
インサート１０ｂは、バー・パトリックス２０が挿入される凹部１５’を有し、この凹部１５’は、本発明の例示的な実施例ではインサート１０ｂがバー・パトリックス２０上にぴったりと載るように形成される。
【００３６】
マトリックス筐体１０ａは、バー・パトリックス２０がインサート１０ｂと共に挿入される凹部１５を有する。凹部１５は、第１の例示的な実施例と同様に形づくられる。したがって、マトリックス筐体１０ａとインサート１０ｂとの間に、歯科補綴物がバー・パトリックス２０に位置することができる支持位置１１、１２、１３ｃが形成される。支持位置１１、１２、１３ｃの間に、自由空間１４ａ、１４ｂが形成される。
【００３７】
第４の例示的な実施例の代替例として、インサート１０ｂの内部形状（すなわち凹部１５’）が適切に形づくられることにより、インサート１０ｂとバー・パトリックス２０との間に３つの支持位置１１、１２、１３ｃ及び自由空間１４ａ、１４ｂを設けることが考えられる。この場合、マトリックス筐体１０ａとインサート１０ｂとの間にぴったりとした連結を設けることができる。
【００３８】
部分１０、１０’、１０ａ、１０ｂ、２０、２０’は、それぞれ１つの部分として作製されるか、又は複数の部分の構成として作製されて予め組み立てられることができる。これらの部分は、たとえばチタンなどの適切な金属又はプラスチックなどの口内環境において耐久性のある材料から構成される。
【００３９】
凹部１５の形状は、たとえばマトリックス１０の長手方向に工具を案内することにより切削によって作られ得る。これは、たとえば、Ｕ形の切り抜き部をまず切削し、次に球状の工具によって２つのアンダーカット１３ａ、１３ｂを作ることによる複数の工程段階で行われることができる。
【００４０】
それぞれの部分１０、１０’、１０ａ、１０ｂは、長い棒形状に製造され、そこから、使用者がそれぞれの場合において所望の長さの部分に切断することができる。
【００４１】
また、鋳造によって完成部品を作るために、たとえばプラスチック又はろう製の燃やすことのできる型として、マトリックス筐体１０、１０ａ及び／又はバー・パトリックス２０、２０’を形成することも考えられる。
【００４２】
前述の説明から、当業者は、請求項によって規定される本発明の範囲から逸脱することなく多くの変更例に到達することが可能である。
【００４３】
たとえば、バー・パトリックスは、必ずしも図に示すような形状にされる必要はない。その断面は、たとえば四角又はより一般的な形状といった異なる凸形状を有することもできる。さらに、バー・パトリックスは、たとえば端部に、インプラント又は本当の歯に固定する手段を備えることができる。
【００４４】
アーチ１３及び側壁１１、１２は、図に示されるような形状にされる必要はない。たとえば、部分１３ｃが直線であるか若しくは湾曲しており、及び／又は、それぞれの側壁１１、１２が平坦であるか若しくは湾曲していてよい。
【００４５】
断面から見たときに、第３の支持位置１３ｃが延在する長さは、望み通りの短さに選択してよい（図３のＳ１とＳ２との間の距離を参照されたい）。必要であれば、支持位置１３ｃが断面で見ると事実上点の形となるように、この長さは非常に短くてもよい。
【図１】
2012520693.tif 000003
【図２】
2012520693.tif 000004
【図３】
2012520693.tif 000005
【図４】
2012520693.tif 000006
【図５】
2012520693.tif 000007
【図６】
2012520693.tif 000008
【図７】
2012520693.tif 000009
【図８】
2012520693.tif 000010
【図９】
2012520693.tif 000011
【図１０】
2012520693.tif 000012
【国際調査報告】
2012520693.tif 000013
2012520693.tif 000014
2012520693.tif 000015
2012520693.tif 000016